(57)【特許請求の範囲】
【請求項１】
塗工液を収納する塗工液タンクと、
塗工液を基材に塗布するノズルと、
塗工液タンクとノズルとの間を連結すると共に、ポンプと三方切換弁が取り付けられた送りラインと、
三方切換弁と塗工液タンクとを連結する戻りラインと、
ノズルに連結されたリリーフラインとを備え、
リリーフラインに、下流側に向かって自動弁と、リリーフ弁を順次取り付けるとともに、三方切換弁と自動弁を同期して作動制御する制御部を設け、リリーフ弁はノズル内の圧力が設定圧力以上の場合に開となることを特徴とする塗工装置。
【請求項２】
塗工液を収納する塗工液タンクと、
塗工液を基材に塗布するノズルと、
塗工液タンクとノズルとの間を連結すると共に、ポンプと三方切換弁が取り付けられた送りラインと、
三方切換弁と塗工液タンクとを連結する戻りラインと、
ノズルに連結されたリリーフラインとを備え、
リリーフラインに、下流側に向かって自動弁と、圧力計と、圧力調整弁とを順次取り付けるとともに、三方切換弁と自動弁を同期して作動制御する制御部を設け、圧力計からの信号によりノズル内の圧力が設定圧力以上の場合に開となる圧力調整弁を設けたことを特徴とする塗工装置。
【発明の詳細な説明】
【０００１】
【発明の属する技術分野】
本発明は塗工液を基材に対して塗布する塗工装置に係り、とりわけ塗工液を断続的に塗布する塗工装置に関する。
【０００２】
【従来の技術】
基材に塗工液を塗布する塗工装置として、塗工液タンクと、塗工液を基材に塗布するノズルと、塗工液タンクとノズルとを連結すると共に、ポンプおよび三方切換弁を有する送りラインとを備えたものが知られている。また三方切換弁と塗工液タンクとの間は、戻りラインにより連結されている。
【０００３】
このような塗工装置において、塗工液タンク内の塗工液がポンプにより送りラインに沿って送られる。塗工液を基材に塗布する場合、三方切換弁により塗工液をノズル側へ送り、ノズルから基材に塗工液が塗布される。
【０００４】
一方、塗工液の塗布を停止する場合、三方切換弁から塗工液を戻りラインを経て塗工液タンクへ戻すようになっている。
【０００５】
このように三方切換弁の切換作用により、塗工液を送りラインを経てノズル側に送り基材に塗布したり、塗工液を三方切換弁から戻りラインを経て塗工液タンク側へ戻すようにする。このようにして、基材に対して塗工液を断続的に塗布することができる。
【０００６】
【発明が解決しようとする課題】
上述のように基材に対する塗工液の塗布を停止する場合、三方切換弁から塗工液を戻りラインを経て塗工液タンク側へ戻している。しかしながら、塗工液の塗布を停止した直後でも、ノズル内に塗工液が残りノズル先端から塗工液が漏れ出すことがある。この場合は、ノズルからの塗工液流出を確実に止めることはできず、基材に塗布された塗工液からなる塗工膜の終端を確実に制御することはむずかしい。
【０００７】
本発明はこのような点を考慮してなされたものであり、構造が簡単でかつ基材に塗布された塗工液からなる塗工膜の終端を制御して塗工液を断続的に精度よく塗布することができる塗工装置を提供することを目的とする。
【０００８】
【課題を解決するための手段】
本発明は、塗工液を収納する塗工液タンクと、塗工液を基材に塗布するノズルと、塗工液タンクとノズルとの間を連結すると共に、ポンプと三方切換弁が取り付けられた送りラインと、三方切換弁と塗工液タンクとを連結する戻りラインと、ノズルに連結されたリリーフラインとを備え、リリーフラインに、下流側に向かって自動弁と、リリーフ弁を順次取り付けるとともに、三方切換弁と自動弁を同期して作動制御する制御部を設け、リリーフ弁はノズル内の圧力が設定圧力以上の場合に開となることを特徴とする塗工装置である。
【０００９】
本発明は、塗工液を収納する塗工液タンクと、塗工液を基材に塗布するノズルと、塗工液タンクとノズルとの間を連結すると共に、ポンプと三方切換弁が取り付けられた送りラインと、三方切換弁と塗工液タンクとを連結する戻りラインと、ノズルに連結されたリリーフラインとを備え、リリーフラインに、下流側に向かって自動弁と、圧力計と、圧力調整弁とを順次取り付けるとともに、三方切換弁と自動弁を同期して作動制御する制御部を設け、圧力計からの信号によりノズル内の圧力が設定圧力以上の場合に開となる圧力調整弁を設けたことを特徴とする塗工装置である。
【００１０】
本発明によれば、自動弁を開とすることにより、ノズル内の加圧された塗工液をリリーフ弁または圧力調整弁によりリリーフラインを経て外部へ排出することができる。このため塗工液の塗布の停止時に、ノズル内の塗工液が基材側へ漏れることはない。
【００１１】
【発明の実施の形態】
以下、図面を参照して本発明の実施の形態について説明する。図１は本発明による塗工装置の一実施の形態を示す図である。
【００１２】
図１に示すように、塗工装置１０は塗工液２２を収納する塗工液タンク１１と、塗工液２２を支持胴１３に巻き付けられた基材２０に塗布するノズル１２と、塗工液タンク１１とノズル１２との間を連結する送りライン２４とを備え、送りライン２４にはポンプ１４と三方切換弁１５が取り付けられている。
【００１３】
また三方切換弁１５と塗工液タンク１１との間は戻りライン２５により連結されている。さらにノズル１２は内部空間１２ａと、吐出口１２ｂとを有し、内部空間１２ａにはリリーフライン２６が接続されている。
【００１４】
またリリーフライン２６には、下流側に向かって順次、自動弁１６とリリーフ弁１７が取り付けられており、この自動弁１６とリリーフ弁１７とにより排出機構１８が構成されている。
【００１５】
また三方切換弁１５と自動弁１６は、制御部２１により同期して作動制御される。すなわち制御部２１は三方切換弁１５を作動させて塗工液２２をノズル１２側へ送る場合、同時に自動弁１６を閉とする。また制御部２１は三方切換弁１５を切り換えて塗工液２２を塗工液タンク１１へ戻す場合、同時に自動弁１６を開とするようになっている。
【００１６】
次にこのような構成からなる本実施の形態の作用について説明する。まず支持胴１３が回転し、支持胴１３に巻き付けられた基材２０が図１の矢印Ｌ方向へ走行する。次にポンプ１４が作動し塗工液タンク１１から送られる塗工液２２を加圧するとともに、制御部２１により三方切換弁１５と自動弁が制御される。
【００１７】
すなわち、基材２０に塗工液２２を塗布する場合、自動弁１６は閉となっている。そしてポンプ１４により加圧された塗工液２２は三方切換弁１５を通り、送りライン２４を経てノズル１２へ送られ、ノズル１２の吐出口１２ｂから基材２０表面に塗布される。
【００１８】
塗工液２２の塗布を停止する場合は、制御部２１により三方切換弁１５を切り換え、ポンプ１４により加圧された塗工液２２を戻りライン２５を経て塗工液タンク１１へ戻す。同時に制御部２１により自動弁１６を開とする。
【００１９】
このように三方切換弁１５を切り換えて塗工液２２を戻りライン２５から塗工タンク１１に戻す場合、同時に自動弁１６が開となるので、ノズル１２の内部空間１２ａ内の塗工液２２はリリーフライン２６を通ってリリーフ弁１７へ送られる。この時、ノズル１２の内部空間１２ａ内の塗工液２２の圧力がリリーフ弁１７の設定圧力以上となっていれば、リリーフ弁１７が開となり、ノズル１２の内部空間１２ａ内の塗工液がリリーフ弁１７から外方へ排出される。このためノズル１２の吐出口１２ｂから塗工液２２が基材２０側へ漏れ出すことはない。このため基材２０に塗布された塗工液２２からなる塗工膜の終端２２ａを確実に制御して、塗工膜の引きずりを防止することができる。これにより基材２０に対して塗工液２２を精度良く断続的に塗布することができる。
【００２０】
その後ノズル１２の内部空間１２ａ内の圧力が低下すると、リリーフ弁１７が閉となり、塗工液２２の排出が停止する。
【００２１】
その後、制御部２１により三方切換弁１５が作動して、塗工液２２が再びノズル１２側へ送られるとともに、自動弁１６が閉となる。
【００２２】
ここで、塗工液の排出機構１８として、自動弁１６およびリリーフ弁１７を用いている理由は、以下の通りである。塗工膜終端部２２ａの塗膜の引きずりを防止するためには、塗工終了時にノズル１２の内部空間１２ａ内の圧力制御が重要である。このため、自動弁１６のみを設けた場合、自動弁１６の開閉時間を制御しただけではノズル１２の内部空間１２ａの圧力制御はむずかしい。また、リリーフ弁１７のみ設けた場合には、三方切換弁１５を切り換えてノズル１２の内部空間１２ａに塗工液２２を供給した際に、内部空間１２ａの圧力が上昇してリリーフ弁１７が開いてしまい、圧力変動による塗工精度の悪化が考えられる。以上のことから、塗工液排出用として自動弁１６とリリーフ弁１７の両方を設ける。
【００２３】
以上のように本実施の形態によれば、簡単な構造で容易かつ精度良く塗工液２２を断続的に基材２０へ塗布することができる。
【００２４】
次に図２により本発明の他の実施の形態について説明する。図２に示す実施の形態は排出機構１８としてリリーフ弁１７を設ける代わりに、圧力計２８と、この圧力計２８からの信号によって作動する圧力調整弁２７を設けたものである。
【００２５】
図２において、他の構成は図１に示す実施の形態と略同一である。図２において、図１に示す実施の形態と同一部分には同一符号を附して詳細な説明は省略する。
【００２６】
図２において、圧力計２８からの信号により圧力調整弁２７を開閉するので、圧力調整弁２７の開閉動作をより正確に行うことができる。
【００２７】
【発明の効果】
以上のように、本発明によれば、塗工液の塗布を停止する場合、ノズル内の塗工液をリリーフラインから外部へ排出することができるので、ノズル内の塗工液が基材側へ漏れることはない。このため基材に対して塗工液を断続的に精度良く塗布することができる。
【図面の簡単な説明】
【図１】本発明による塗工装置の一実施の形態を示す概略系統図。
【図２】本発明による塗工装置の他の実施の形態を示す概略系統図。
【符号の説明】
１０  塗工装置
１１  塗工液タンク
１２  ノズル
１３  支持胴
１４  ポンプ
１５  三方切換弁
１６  自動弁
１７  リリーフ弁
２０  基材
２１  制御部
２２  塗工液
２４  送りライン
２５  戻りライン
２６  リリーフライン
２７  圧力調整弁
２８  圧力計
【図１】
0004624519.tif 000002
【図２】
0004624519.tif 000003